(57)【要約】【課題】製造設備の設定ミスが生じ難い製造設備システム等を実現する。【解決手段】複数の移動可能な製造設備（１〜３）のうち、少なくとも一部のそれぞれは、近接無線通信部（６）と、隣接して設置された製造設備から、近接無線通信部（６）によって受信した設定データを用いてこの製造設備における動作設定を行う設定処理部（７）とを備える。【選択図】図１
2020030591.tif 000002
【特許請求の範囲】
【請求項１】
セル生産方式による製造ラインを構成する複数の移動可能な製造設備を備える製造設備システムであって、
前記複数の移動可能な製造設備のうち、少なくとも一部の製造設備のそれぞれは、
隣接して設置された状態における製造設備同士の中心間距離の半分以下となる通信距離を有する近接無線通信部と、
隣接して設置された製造設備から、前記近接無線通信部によって受信した設定データを用いて当該製造設備における動作設定を行う設定処理部とを備える製造設備システム。
【請求項２】
前記近接無線通信部による通信は、事前の接続設定が不要である請求項１に記載の製造設備システム。
【請求項３】
前記近接無線通信部による通信は、ＮＦＣである請求項２に記載の製造設備システム。
【請求項４】
前記少なくとも一部の製造設備のそれぞれは、前記近接無線通信部として、前記設定データの流れにおける下流側の製造設備の前記近接無線通信部と通信する上流側通信部と、前記設定データの流れにおける上流側の製造設備の前記近接無線通信部と通信する下流側通信部とを有している請求項１から３のいずれか１項に記載の製造設備システム。
【請求項５】
前記複数の移動可能な製造設備のうち、前記設定データの流れにおける最上流の製造設備は、前記複数の移動可能な製造設備の全ての前記設定データを受け付ける請求項１から４のいずれか１項に記載の製造設備システム。
【請求項６】
前記複数の移動可能な製造設備のうち、前記設定データの流れにおける最上流の製造設備に、前記複数の移動可能な製造設備の全ての前記設定データが記憶される請求項５に記載の製造設備システム。
【請求項７】
前記複数の移動可能な製造設備のうち、前記設定データの流れにおける最上流の製造設備に対して、前記複数の移動可能な製造設備の全ての前記設定データを入力するための入力端末を備えている請求項５または６に記載の製造設備システム。
【請求項８】
前記設定データは、製造する製品の種類、および前記製品を製造するための各製造設備の設定情報と紐付けられている請求項１から７のいずれか１項に記載の製造設備システム。
【請求項９】
前記製品を選択すると、選択された前記製品に対応する前記設定データが流れる請求項８に記載の製造設備システム。
【請求項１０】
請求項１から９のいずれか１項に記載の製造設備システムが備えている製造設備。
【請求項１１】
セル生産方式による製造ラインを構成する複数の移動可能な製造設備を用いる製造方法であって、
前記複数の移動可能な製造設備のうち、少なくとも一部の製造設備のそれぞれに、隣接して設置された状態における製造設備同士の中心間距離の半分以下となる通信距離を有する近接無線通信部を設け、
隣接して設置された製造設備から、前記近接無線通信部によって受信した設定データを用いて当該製造設備における動作設定を行う製造方法。
【発明の詳細な説明】
【技術分野】
【０００１】
本発明は、製造設備システム、製造設備、および製造方法に関する。
【背景技術】
【０００２】
セル生産方式において、段取り替えのため、製造設備の入れ替えおよび／または並び替えを行うケースがある。セル生産方式とは、組み立て製造業において、一人または数人の作業員が、部品の取り付けから組み立て、加工、検査までの全工程を担当する生産方式である。
【０００３】
従来、製造設備の入れ替えおよび／または並び替え後、（ａ）または（ｂ）の作業が実行される。
【０００４】
（ａ）作業員が、製造設備の取り違えがないかを確認する。また、作業員が、各製造設備に対して、ＨＭＩ（Human Machine Interface）等によって直接動作設定を行う。
【０００５】
（ｂ）各製造設備を有線によって接続する。そして、各製造設備は、上流の製造設備から設定データを受信し、当該設定データを用いて動作設定を行う（特許文献１参照）。
【先行技術文献】
【特許文献】
【０００６】
【特許文献１】特開２００３−９９１１３号公報（２００３年４月４日公開）
【発明の概要】
【発明が解決しようとする課題】
【０００７】
前記（ａ）の作業においては、作業員による作業工数が多いため、作業員による製造設備の設定ミスが生じ易いという問題が発生する。
【０００８】
前記（ｂ）の作業においては、製造設備の入れ替えおよび／または並び替えの度に、各製造設備に対する配線の抜き差しが必要である。このため、作業員による作業工数が多いことで作業員による製造設備の設定ミスが生じ易く、さらに、当該配線の抜き差しの不備に起因する製造設備の設定ミスが生じ易いという問題が発生する。
【０００９】
本発明の一態様は、製造設備の設定ミスが生じ難い製造設備システム、製造設備、および製造方法を実現することを目的とする。
【課題を解決するための手段】
【００１０】
前記の課題を解決するために、本発明の一態様に係る製造設備システムは、セル生産方式による製造ラインを構成する複数の移動可能な製造設備を備える製造設備システムであって、前記複数の移動可能な製造設備のうち、少なくとも一部の製造設備のそれぞれは、隣接して設置された状態における製造設備同士の中心間距離の半分以下となる通信距離を有する近接無線通信部と、隣接して設置された製造設備から、前記近接無線通信部によって受信した設定データを用いて当該製造設備における動作設定を行う設定処理部とを備える。
【００１１】
前記の課題を解決するために、本発明の一態様に係る製造方法は、セル生産方式による製造ラインを構成する複数の移動可能な製造設備を用いる製造方法であって、前記複数の移動可能な製造設備のうち、少なくとも一部の製造設備のそれぞれに、隣接して設置された状態における製造設備同士の中心間距離の半分以下となる通信距離を有する近接無線通信部を設け、隣接して設置された製造設備から、前記近接無線通信部によって受信した設定データを用いて当該製造設備における動作設定を行う。
【００１２】
前記の構成によれば、製造設備は、隣接して設置された製造設備から設定データを受け取り、当該設定データに基づいて当該製造設備における動作設定を行う。これにより、複数の製造設備のいずれかに対して、複数の製造設備の全ての設定データを供給すれば、当該設定データを各製造設備を経由させることで、複数の製造設備の全ての動作設定を行うことが可能となる。
【００１３】
前記の構成によれば、作業員は、複数の製造設備のいずれかに対して、複数の製造設備の全ての設定データを供給するだけなので、作業員による作業工数が少ない。このため、作業員による製造設備の設定ミスが生じ難い。また、前記の構成によれば、製造設備の入れ替えおよび／または並び替えの度に、各製造設備に対する配線の抜き差しをすることが不要である。よって、作業員による作業工数が減るため作業員による製造設備の設定ミスが生じ難く、さらに、当該配線の抜き差しの不備に起因する製造設備の設定ミスが生じない。従って、前記の構成によれば、製造設備の設定ミスが生じ難い製造設備システムおよび製造方法を実現することができる。
【００１４】
また、本発明の一態様に係る製造設備システムにおいて、前記近接無線通信部による通信は、事前の接続設定が不要である構成としてもよい。
【００１５】
特に、本発明の一態様に係る製造設備システムにおいて、前記近接無線通信部による通信は、ＮＦＣ（Near Field Communication）である構成としてもよい。
【００１６】
前記（ｂ）の作業における配線としてＬＡＮ（Local Area Network）ケーブルを用いた場合、ＩＰアドレスによって、通信可能な製造設備が制限される虞がある。前記の構成によれば、近接無線通信部による通信は、事前の接続設定が不要であるもの、具体例としてはＮＦＣであるため、このような制限なく製造設備同士が通信することができる。
【００１７】
また、本発明の一態様に係る製造設備システムにおいて、前記少なくとも一部の製造設備のそれぞれは、前記近接無線通信部として、前記設定データの流れにおける下流側の製造設備の前記近接無線通信部と通信する上流側通信部と、前記設定データの流れにおける上流側の製造設備の前記近接無線通信部と通信する下流側通信部とを有している構成としてもよい。
【００１８】
前記の構成によれば、少なくとも一部の製造設備のそれぞれは、設定データの流れにおける上流側の製造設備から同下流側の製造設備へと順に、設定データを供給することができる。従って、この順に、複数の製造設備の全ての動作設定を行うことができる。
【００１９】
また、本発明の一態様に係る製造設備システムにおいて、前記複数の移動可能な製造設備のうち、前記設定データの流れにおける最上流の製造設備は、前記複数の移動可能な製造設備の全ての前記設定データを受け付ける構成としてもよい。
【００２０】
また、本発明の一態様に係る製造設備システムは、前記複数の移動可能な製造設備のうち、前記設定データの流れにおける最上流の製造設備に、前記複数の移動可能な製造設備の全ての前記設定データが記憶される構成としてもよい。
【００２１】
また、本発明の一態様に係る製造設備システムは、前記複数の移動可能な製造設備のうち、前記設定データの流れにおける最上流の製造設備に対して、前記複数の移動可能な製造設備の全ての前記設定データを入力するための入力端末を備えている構成としてもよい。
【００２２】
前記の構成によれば、複数の移動可能な製造設備のうち、設定データの流れにおける最上流の製造設備に対して、設定データを供給することができる。とりわけ、入力端末を備えている場合、入力端末で最上流の製造設備の型式等を確認した上で、最上流の製造設備に設定データを供給することができるため、最上流の製造設備の取り違えを防ぐことができる。また、入力端末を備えている場合、稼働中の製造設備システムに対して設定データの書き換え動作を行う必要がないので、製造設備システムの稼働中に不適切な書き換えが行われることを防ぐことができる。さらに、入力端末を備えている場合、設定データが入力端末に記録されているので、最上流の製造設備におけるデータ書き換えによって、設定データを失う虞を低減することができる。
【００２３】
また、本発明の一態様に係る製造設備システムにおいて、前記設定データは、製造する製品の種類、および前記製品を製造するための各製造設備の設定情報と紐付けられている構成としてもよい。
【００２４】
前記の構成によれば、製造対象の製品の製造に対応するための製造設備の設定を行うことができる。
【００２５】
また、本発明の一態様に係る製造設備システムは、前記製品を選択すると、選択された前記製品に対応する前記設定データが流れる構成としてもよい。
【００２６】
前記の構成によれば、製造対象の製品の選択をトリガーとして、製造対象の製品の製造に対応するための製造設備の設定を行うことができる。
【００２７】
なお、前記製造設備システムが備えている製造設備についても、本発明の範疇に含まれる。
【発明の効果】
【００２８】
本発明の一態様によれば、製造設備の設定ミスが生じ難い製造設備システム、製造設備、および製造方法を実現することができる。
【図面の簡単な説明】
【００２９】
【図１】本発明の一側面に係る実施の形態に係る製造設備システムの概略構成を示すブロック図である。
【図２】図１に示す製造設備システムの動作の流れを示すフローチャートである。
【図３】本発明の一側面に係る実施の形態の変形例に係る製造設備システムの概略構成を示すブロック図である。
【図４】製造する製品の種類と、設定データ（製品を製造するための各製造設備の設定情報）との紐付けの一例を示す表である。
【図５】製造する製品の種類と、設定データ（製品を製造するための各製造設備の設定情報）との紐付けの別の例を示す表である。
【図６】設定データの具体例を示す図である。
【図７】（ａ）〜（ｅ）のそれぞれは、複数の製造設備の設置パターンを示す概略図である。
【図８】近接無線通信部の通信距離について説明する図である。
【発明を実施するための形態】
【００３０】
以下、本発明の一側面に係る実施の形態（以下、「本実施形態」とも表記する）を、図面に基づいて説明する。
【００３１】
§１  適用例
図１は、本実施形態に係る製造設備システム１００の概略構成を示すブロック図である。製造設備システム１００は、セル生産方式において用いられるものである。製造設備システム１００は、当該セル生産方式による製造ラインを構成する複数の製造設備１〜３を備えている。複数の製造設備１〜３のそれぞれは、移動可能なものである。各製造設備１〜３は、製造装置、および当該製造装置を搭載する台を有しており、当該製造装置の一例として、プレス機、射出成形機、および圧入機が挙げられる。
【００３２】
製造設備１は、製品選択装置４および記憶部５を有している。また、製造設備１〜３のそれぞれは、近接無線通信部６および設定処理部７を有している。
【００３３】
製品選択装置４は、製造設備システム１００が製造する製品を選択するものである。記憶部５には、設定データ（製品Ａ）８Ａ、設定データ（製品Ｂ）８Ｂ、・・・が記憶されている。設定データ（製品Ａ）８Ａ、設定データ（製品Ｂ）８Ｂ、・・・は、製造設備システム１００が製造可能な製品（製品Ａ、製品Ｂ、・・・）毎に設定された、各製造設備１〜３における動作設定を行うためのデータである。各設定データ（製品Ａ）８Ａ、設定データ（製品Ｂ）８Ｂ、・・・は、製造する製品の種類、およびその製品を製造するための各製造設備１〜３の設定情報と紐付けられている。
【００３４】
近接無線通信部６は、ＮＦＣリーダライタ（上流側通信部）９およびＮＦＣタグ（下流側通信部）１０を有している。ＮＦＣリーダライタ９は、設定データ（製品Ａ）８Ａ、設定データ（製品Ｂ）８Ｂ、・・・の流れにおける下流側の製造設備の近接無線通信部６と通信する。ＮＦＣタグ１０は、設定データ（製品Ａ）８Ａ、設定データ（製品Ｂ）８Ｂ、・・・の流れにおける上流側の製造設備の近接無線通信部６と通信する。製造設備システム１００において、設定データ（製品Ａ）８Ａ、設定データ（製品Ｂ）８Ｂ、・・・の流れは、上流側から順に、製造設備１、製造設備２、製造設備３であるものとする。設定処理部７は、設定データ（製品Ａ）８Ａ、設定データ（製品Ｂ）８Ｂ、・・・のいずれかに基づいて、対応する製造設備１〜３のいずれかにおける動作設定を行う。
【００３５】
ここからは、製造設備システム１００が製品Ａを製造する場合を例に説明する。製品選択装置４は、製造設備システム１００が製造する製品として、製品Ａを選択する。製品選択装置４が製品Ａを選択すると、製造設備１の設定処理部７が製品Ａに対応する設定データ（製品Ａ）８Ａに基づいて製造設備１における動作設定を行うと共に、設定データ（製品Ａ）８Ａが流れる。
【００３６】
近接無線通信部６は、隣接して設置された状態における製造設備同士の中心間距離の半分以下となる通信距離（通信可能距離）を有する。製造設備２および３それぞれの設定処理部７は、隣接して設置された製造設備から、近接無線通信部６によって受信した設定データ（製品Ａ）８Ａを用いて当該製造設備における動作設定を行う。製造設備システム１００においては、製造設備１と製造設備２とが隣接しており、製造設備２と製造設備３とが隣接している。各製造設備１〜３の設置は、作業者によって行われてもよいし、自律移動ロボットによって行われてもよい。各製造設備１〜３の設置が作業者によって行われる一例として、各製造設備１〜３の台に車輪を設け作業者が押して設置場所まで移動させること、および作業者が持ち上げて設置場所まで移動させることが挙げられる。さらに、各製造設備１〜３が、自律移動ロボットに載せられた状態で、設置場所までの移動および設置場所での稼働が行われてもよい。
【００３７】
より具体的に述べると、製造設備２の設定処理部７は、隣接して設置された製造設備１の近接無線通信部６から、製造設備２の近接無線通信部６によって受信した設定データ（製品Ａ）８Ａを用いて製造設備２における動作設定を行う。
【００３８】
同様に、製造設備３の設定処理部７は、隣接して設置された製造設備２の近接無線通信部６から、製造設備３の近接無線通信部６によって受信した設定データ（製品Ａ）８Ａを用いて製造設備３における動作設定を行う。
【００３９】
図８は、近接無線通信部６の通信距離について説明する図である。図８においては、説明を簡潔にするために、製品選択装置４、記憶部５、設定処理部７、設定データ（製品Ａ）８Ａ、設定データ（製品Ｂ）８Ｂ、・・・の図示を省略している。
【００４０】
製造設備１のＮＦＣリーダライタ９が通信可能な範囲を円形の通信可能範囲Ｔ１とすると、製造設備１のＮＦＣリーダライタ９の通信距離Ｒ１は、通信可能範囲Ｔ１の半径に相当する。通信距離Ｒ１は、製造設備１の中心Ｃ１と製造設備２の中心Ｃ２との間の距離Ｄ１２の半分以下である。通信可能範囲Ｔ１に、製造設備２のＮＦＣタグ１０が含まれる一方、製造設備１のＮＦＣタグ１０が含まれない。
【００４１】
同様に、製造設備２のＮＦＣリーダライタ９が通信可能な範囲を円形の通信可能範囲Ｔ２とすると、製造設備２のＮＦＣリーダライタ９の通信距離Ｒ２は、通信可能範囲Ｔ２の半径に相当する。通信距離Ｒ２は、製造設備２の中心Ｃ２と製造設備３の中心Ｃ３との間の距離Ｄ２３の半分以下である。通信可能範囲Ｔ２に、製造設備３のＮＦＣタグ１０が含まれる一方、製造設備２のＮＦＣタグ１０が含まれない。
【００４２】
製造設備システム１００によれば、製造設備２は、隣接して設置された製造設備１から設定データ（製品Ａ）８Ａを受け取り、設定データ（製品Ａ）８Ａに基づいて製造設備２における動作設定を行う。同様に、製造設備システム１００によれば、製造設備３は、隣接して設置された製造設備２から設定データ（製品Ａ）８Ａを受け取り、設定データ（製品Ａ）８Ａに基づいて製造設備３における動作設定を行う。これにより、製造設備１に対して、複数の製造設備１〜３の全ての設定データ（製品Ａ）８Ａを供給すれば、設定データ（製品Ａ）８Ａを各製造設備１〜３を経由させることで、複数の製造設備１〜３の全ての動作設定を行うことが可能となる。
【００４３】
製造設備システム１００によれば、作業員は、製造設備１に対して、複数の製造設備１〜３の全ての設定データ（製品Ａ）８Ａを供給するだけなので、作業員による作業工数が少ない。このため、作業員による製造設備１〜３の設定ミスが生じ難い。また、製造設備システム１００によれば、製造設備１〜３の入れ替えおよび／または並び替えの度に、各製造設備１〜３に対する配線の抜き差しをすることが不要である。よって、作業員による作業工数が減るため作業員による製造設備１〜３の設定ミスが生じ難く、さらに、当該配線の抜き差しの不備に起因する製造設備１〜３の設定ミスが生じない。従って、製造設備１〜３の設定ミスが生じ難い製造設備システム１００を実現することができる。
【００４４】
なお、製造設備システム１００が製品Ｂを製造する場合は、以上の説明において、製品Ａを製品Ｂに置き換え、設定データ（製品Ａ）８Ａを設定データ（製品Ｂ）８Ｂに置き換えればよい。製造設備システム１００が製品Ａまたは製品Ｂ以外の製品を製造する場合についても同様である。
【００４５】
さらに、本実施形態に係る製造方法は、セル生産方式による製造ラインを構成する複数の移動可能な製造設備１〜３を用いる製造方法であって、複数の移動可能な製造設備１〜３のうち、少なくとも一部の製造設備のそれぞれに、隣接して設置された状態における製造設備同士の中心間距離の半分以下となる通信距離を有する近接無線通信部６を設け、隣接して設置された製造設備から、近接無線通信部６によって受信した設定データを用いて当該製造設備における動作設定を行う。
【００４６】
§２  構成例
製造設備システム１００において、近接無線通信部６による通信は、事前の接続設定が不要なＮＦＣである。前述した（ｂ）の作業における配線としてＬＡＮケーブルを用いた場合、ＩＰアドレスによって、通信可能な製造設備が制限される虞がある。製造設備システム１００によれば、近接無線通信部６による通信は、事前の接続設定が不要であるもの、具体例としてはＮＦＣであるため、このような制限なく製造設備１〜３同士が通信することができる。
【００４７】
製造設備システム１００においては、上流側の製造設備のＮＦＣリーダライタ９と、下流側の製造設備のＮＦＣタグ１０とが通信している構成である。これにより、製造設備１〜３のそれぞれは、設定データ（製品Ａ）８Ａ、設定データ（製品Ｂ）８Ｂ、・・・の流れにおける上流側の製造設備から同下流側の製造設備へと順に、設定データ（製品Ａ）８Ａ、設定データ（製品Ｂ）８Ｂ、・・・を供給することができる。従って、この順に、複数の製造設備１〜３の全ての動作設定を行うことができる。
【００４８】
但し、これは、近接無線通信部６の一構成例に過ぎない。すなわち、上流側の製造設備のＮＦＣタグ１０と、下流側の製造設備のＮＦＣリーダライタ９とが通信している構成であっても、同様の作用効果を得ることができる。また、上流側の製造設備と下流側の製造設備とのそれぞれにＮＦＣによる通信を行う通信デバイスを設け、これらが双方向通信を行う構成であってもよい。
【００４９】
また、近接無線通信部６による通信は、隣接して設置された状態における製造設備同士の中心間距離の半分以下となる通信距離であれば、ＮＦＣに限定されない。
【００５０】
製造設備システム１００において、製造設備１〜３のうち、設定データ（製品Ａ）８Ａ、設定データ（製品Ｂ）８Ｂ、・・・の流れにおける最上流の製造設備１は、製造設備１〜３の全ての設定データである設定データ（製品Ａ）８Ａ、設定データ（製品Ｂ）８Ｂ、・・・を受け付ける。より具体的には、製造設備システム１００において、製造設備１〜３のうち、設定データ（製品Ａ）８Ａ、設定データ（製品Ｂ）８Ｂ、・・・の流れにおける最上流の製造設備１の記憶部５に、製造設備１〜３の全ての設定データである設定データ（製品Ａ）８Ａ、設定データ（製品Ｂ）８Ｂ、・・・が記憶される。
【００５１】
これにより、製造設備１〜３のうち、設定データ（製品Ａ）８Ａ、設定データ（製品Ｂ）８Ｂ、・・・の流れにおける最上流の製造設備１に対して、設定データ（製品Ａ）８Ａ、設定データ（製品Ｂ）８Ｂ、・・・を供給することができる。
【００５２】
一方で、厳密には、製造設備１のＮＦＣタグ１０は、製造設備システム１００において近接無線通信部６の機能を担っていない。但し、製造設備１が設定データ（製品Ａ）８Ａ、設定データ（製品Ｂ）８Ｂ、・・・の流れにおける最上流でない場合、製造設備１のＮＦＣタグ１０は、製造設備１のすぐ上流にあたる製造設備のＮＦＣリーダライタ９と通信する。そして、製造設備１の設定処理部７は、隣接して設置された製造設備の近接無線通信部６から、製造設備１の近接無線通信部６によって受信した設定データ（製品Ａ）８Ａ、設定データ（製品Ｂ）８Ｂ、・・・を用いて製造設備１における動作設定を行う。
【００５３】
製造設備システム１００における設定データ（製品Ａ）８Ａ、設定データ（製品Ｂ）８Ｂ、・・・の流れは、製造設備システム１００におけるセル生産方式による製造ラインに対して順方向であってもよいし、逆方向であってもよい。
【００５４】
図２は、製造設備システム１００の動作の流れを示すフローチャートである。
【００５５】
まず、各製造設備１〜３が設置され、作業者は、製造設備１を操作する。当該操作において作業者は、製品選択装置４を用いて、製造設備システム１００が製造する製品を選択する。ここでは、製造設備システム１００が製造する製品として、製品Ａを選択した場合を例に説明する（ステップＳ１）。なお、ステップＳ１において、前記作業者による操作をトリガーにしてステップＳ２に遷移してもよいし、当該操作後の各製造設備１〜３の設置完了をトリガーにしてステップＳ２に遷移してもよい。
【００５６】
続いて、製造設備１（上流設備）は、製造設備１のＮＦＣリーダライタ９と、製造設備２（下流設備）のＮＦＣタグ１０とが近接していることを検知する。この検知は、製造設備１のＮＦＣリーダライタ９が製造設備２のＮＦＣタグ１０と通信可能であるか否かによってできる（ステップＳ２）。
【００５７】
続いて、製造設備１は、製造設備２の型式を取得する。製造設備１のＮＦＣリーダライタ９と製造設備２のＮＦＣタグ１０とが通信すれば、製造設備２の型式の取得は容易である（ステップＳ３）。
【００５８】
続いて、製造設備１は、ステップＳ３にて取得した製造設備２の型式と、設定データ（製品Ａ）８Ａにて規定された製造設備２の型式とを照合し（ステップＳ４）、これらが一致するか否かを判定する（ステップＳ５）。これらが一致しない場合（ステップＳ５の結果がＮＯ）、例えば製造設備１を用いて、エラー表示および／または警告を行い、これらが一致しない旨を通知する（ステップＳ６）。これにより、製造設備システム１００において、製造設備の取り違えを検知することができる。ステップＳ６の後、図２に示した動作の終了となる。
【００５９】
ステップＳ３にて取得した製造設備２の型式と、設定データ（製品Ａ）８Ａにて規定された製造設備２の型式とが一致する場合（ステップＳ５の結果がＹＥＳ）、製造設備１のＮＦＣリーダライタ９から製造設備２のＮＦＣタグ１０に、設定データ（製品Ａ）８Ａを書き込む（ステップＳ７）。
【００６０】
続いて、製造設備２の設定処理部７は、製造設備１から、近接無線通信部６のＮＦＣタグ１０によって受信した設定データ（製品Ａ）８Ａを用いて製造設備２における動作設定を行う（ステップＳ８）。
【００６１】
続いて、必要に応じて、製造設備２の設定処理部７は、設定データ（製品Ａ）８Ａから、製造設備２における動作設定に関する情報を削除する（ステップＳ９）。
【００６２】
続いて、製造設備１〜３のうち動作設定が未完了のものがあれば（ステップＳ１０の結果がＮＯ）、ステップＳ２に戻る。前記のステップＳ２〜ステップＳ１０を経て製造設備２における動作設定を行った場合、次は製造設備３における動作設定を行うことになる。製造設備３における動作設定は、前述した製造設備２における動作設定において、上流設備を製造設備２とし、下流設備を製造設備３とした上で、ステップＳ２〜ステップＳ１０と同様の動作の流れとなる。
【００６３】
製造設備１〜３の全てにおける動作設定が完了すると、図２に示した動作の終了となる（すなわち、ステップＳ１０の結果がＹＥＳ）。
【００６４】
なお、製造設備システム１００が製品Ｂを製造する場合は、以上の説明において、製品Ａを製品Ｂに置き換え、設定データ（製品Ａ）８Ａを設定データ（製品Ｂ）８Ｂに置き換えればよい。製造設備システム１００が製品Ａまたは製品Ｂ以外の製品を製造する場合についても同様である。
【００６５】
図３は、本実施形態の変形例に係る製造設備システム１０１の概略構成を示すブロック図である。製造設備システム１０１の構成は、製造設備システム１００の構成に加え、入力端末１１を備えている。入力端末１１は、製造設備１に対して、設定データ（製品Ａ）８Ａ、設定データ（製品Ｂ）８Ｂ、・・・を入力するものである。入力端末１１の一例として、スマートフォンおよびパーソナルコンピュータ等に代表される、ＮＦＣリーダライタを有する端末が挙げられる。
【００６６】
製造設備システム１０１は、製造設備１〜３のうち、設定データ（製品Ａ）８Ａ、設定データ（製品Ｂ）８Ｂ、・・・の流れにおける最上流の製造設備１に対して、製造設備１〜３の全ての設定データである設定データ（製品Ａ）８Ａ、設定データ（製品Ｂ）８Ｂ、・・・を入力するための入力端末１１を備えている。これによっても、製造設備１〜３のうち、設定データ（製品Ａ）８Ａ、設定データ（製品Ｂ）８Ｂ、・・・の流れにおける最上流の製造設備１に対して、設定データ（製品Ａ）８Ａ、設定データ（製品Ｂ）８Ｂ、・・・を供給することができる。また、製造設備システム１０１によれば、入力端末１１で製造設備１の型式等を確認した上で、製造設備１に設定データ（製品Ａ）８Ａ、設定データ（製品Ｂ）８Ｂ、・・・を供給することができるため、製造設備１の取り違えを防ぐことができる。また、製造設備システム１０１によれば、稼働中の製造設備システム１０１に対して設定データ（製品Ａ）８Ａ、設定データ（製品Ｂ）８Ｂ、・・・の書き換え動作を行う必要がないので、製造設備システム１０１の稼働中に不適切な書き換えが行われることを防ぐことができる。さらに、製造設備システム１０１によれば、設定データ（製品Ａ）８Ａ、設定データ（製品Ｂ）８Ｂ、・・・が入力端末１１に記録されているので、製造設備１におけるデータ書き換えによって、設定データ（製品Ａ）８Ａ、設定データ（製品Ｂ）８Ｂ、・・・を失う虞を低減することができる。
【００６７】
図４は、製造する製品の種類と、設定データ（製品を製造するための各製造設備の設定情報）との紐付けの一例を示す表である。
【００６８】
図４においては、製造する製品の種類（ＩＤ列）と、その各項目に対応する設定データのファイルパス（設定ファイルパス列）とによって構成された表に基づいて、前記の紐付けを行っている。なお、図４のＩＤ列に記載された各項目の型および内容は、特に限定されず、識別子であればよい。また、図４の設定ファイルパス列に記載された各設定データは、特定のものに限定されず、設定そのものが記述されたものであってもよい。
【００６９】
また、図４に示す表は２列であるが、３列以上の表に基づいて、前記の紐付けを行ってもよい。
【００７０】
図５は、製造する製品の種類と、設定データ（製品を製造するための各製造設備の設定情報）との紐付けの別の例を示す表である。
【００７１】
図５においては、１から順の番号（ＩＤ列）と、その各項目に対応する製造する製品の種類（製品名列）と、その各項目に対応する製造設備システムの稼働用途（用途列）と、その各項目に対応する設定データのファイルパス（設定ファイルパス列）と、その各項目に対応する設定データの作成日（作成日列）と、その各項目に対応する設定データを選択肢として表示するか否か（選択肢として表示する列）とによって構成された表に基づいて、前記の紐付けを行っている。
【００７２】
また、前記の紐付けは、図４および図５に示すような、表の形式に限定されない。
【００７３】
図６は、設定データ１２の具体例を示す図である。
【００７４】
設定データ１２において、上流設備は、下流設備の型式を取得後、配列の先頭の製造設備の“model”と比較し、一致不一致を確認する。一致していれば設定を送信する。なお、設定データ１２の“model”に示される情報は、製造設備の識別子であればいいので、厳密には、型式である必要はない（例：ユーザ定義のＩＤ、ＮＦＣタグ製造時のＩＤ（ＩＤｍ））。
【００７５】
設定データ１２において、下流設備は前記の設定を受信後、配列の先頭の製造設備の“settings”を取得し、そこに記述されている設定を、変数の値やファイルの中身に反映し、“command”が指定されていれば実行し、自分自身の製造設備の情報を配列から削除したのち、そのデータをさらに下流の製造設備へと送信する。
【００７６】
図６に示す設定データ１２は、ＪＳＯＮファイルであるが、これに限定されるものではない。ＪＳＯＮ、ＩＮＩ、ＸＭＬ、ＹＡＭＬ、ＴＯＭＬ、バイナリ等、様々なフォーマットが考えられる。
【００７７】
設定データ１２において注目すべき点は、（１）〜（３）のとおりである。
【００７８】
（１）上流設備が、一つ下流の製造設備の情報を特定できること（特定方法：配列の先頭要素、設定項目の一つに記述された順序（例：”order”:1））
（２）製造設備毎に設定やコマンドが記述可能であること（形式や内容については、下流の製造設備が受信して解釈可能であればそれで良い）
（３）設定を変更してからコマンドを実行するのか、各コマンドの実行順序はどう決定されるのか、といった実行順序も下流設備が決定する
図７の（ａ）〜（ｅ）のそれぞれは、複数の製造設備１５〜１７の設置パターンを示す概略図である。
【００７９】
図７の（ａ）に示す設置パターンは、製造設備１７を追加する例であり、図１および図３のそれぞれに示す製造設備１〜３の設置パターンと同様である。
【００８０】
図７の（ｂ）に示す設置パターンは、製造設備１６を追加する例である。この場合、製造設備１５からの設定データの受信および設定反映と、製造設備１７の型式チェックおよび製造設備１７への設定データの送信とが同じ期間内に行われる。なお、処理フローの簡略化、および異常の発生を抑制するために、これらの一方を行っている場合にはこれらの他方を行わないようにしてもよい。
【００８１】
図７の（ｃ）に示す設置パターンは、製造設備１５を追加する例であり、上流・下流を考慮しない場合、図７の（ａ）に示す設置パターンと同様に扱うことができる。
【００８２】
図７の（ｄ）に示す設置パターンは、製造設備１６を撤去する例であり、撤去されたことを自動的に検知するために、定期的に製造設備１５と製造設備１６との通信を実行して、失敗したら撤去されたと判断してもよい。その場合、判断結果を、例えばエラー表示すればよい。
【００８３】
図７の（ｅ）に示す設置パターンは、製造設備１５〜１７の設置に変化がない例であり、ユーザによる操作を契機に設定を行うことができる。図７の（ｅ）に示す設置パターンは例えば、製造する製品の変化に伴い、製造設備１５〜１７の設置パターンを変化させず、製造設備１５〜１７のうち少なくとも１つの設定のみを変更させる場合に利用される。
【００８４】
なお、製造設備システムを構成する全ての製造設備が近接無線通信部６および設定処理部７（図１等参照）を有していることは必須でない。近接無線通信部６および設定処理部７による機能を必要としない製造設備に関しては、近接無線通信部６および設定処理部７を有していない構成であってもよい。換言すれば、複数の移動可能な製造設備のうち、少なくとも一部の製造設備のそれぞれが、近接無線通信部６および設定処理部７を有していればよい。
【００８５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００８６】
１  製造設備
２  製造設備
３  製造設備
４  製品選択装置
５  記憶部
６  近接無線通信部
７  設定処理部
８Ａ  設定データ（製品Ａ）
８Ｂ  設定データ（製品Ｂ）
９  ＮＦＣリーダライタ
１０  ＮＦＣタグ
１１  入力端末
１２  設定データ
１５  製造設備
１６  製造設備
１７  製造設備
１００  製造設備システム
１０１  製造設備システム
【図１】
2020030591.tif 000003
【図２】
2020030591.tif 000004
【図３】
2020030591.tif 000005
【図４】
2020030591.tif 000006
【図５】
2020030591.tif 000007
【図６】
2020030591.tif 000008
【図７】
2020030591.tif 000009
【図８】
2020030591.tif 000010